(57)【要約】【課題】  ドア開閉時の振動や衝撃音を低減するとともに、ドアが完全に閉成したことを確実に使用者に伝えることができ、ドア開閉時の操作性や使い勝手が良好な加熱調理器を提供する。【解決手段】  少なくとも加熱室２と、被加熱物５の出し入れを行う該加熱室２の開口部１００を遮蔽する開閉可能なドア６と、該ドア６の閉成状態を検知するドア閉成検知手段２３と、ドア６の閉成状態を報知するドア閉成報知手段２４と、ドア閉成過程に該ドア６の閉まり速度を遅くする減衰手段とを備え、該ドア閉成検知手段２３によるドア閉成の検知と略同じタイミングで該ドア閉成報知手段２４が作動する。【選択図】  図２
2006226617.tif 000002
【特許請求の範囲】
【請求項１】
少なくとも加熱室（２）と、被加熱物（５）の出し入れを行う該加熱室（２）の開口部（１００）を遮蔽する開閉可能なドア（６）と、該ドア（６）の閉成状態を検知するドア閉成検知手段（２３）と、ドア（６）の閉成状態を報知するドア閉成報知手段（２４）と、ドア閉成過程に該ドア（６）の閉まり速度を遅くする減衰手段とを備え、該ドア閉成検知手段（２３）によるドア閉成の検知と略同じタイミングで該ドア閉成報知手段（２４）が作動することを特徴とする加熱調理器。
【請求項２】
ドア（６）が上下方向に回動することによって開閉することを特徴とする請求項１に記載の加熱調理器。
【請求項３】
ドア閉成報知手段（２４）による報知がドア（６）開閉に連動して発生する接触音であることを特徴とする請求項１または２に記載の加熱調理器。
【請求項４】
ドア閉成報知手段（２４）による報知が音声出力手段による音声であることを特徴とする請求項１または２に記載の加熱調理器。
【請求項５】
ドア閉成報知手段（２４）による報知が発光手段による光であることを特徴とする請求項１から４のいずれかに記載の加熱調理器。
【発明の詳細な説明】
【技術分野】
【０００１】
本発明は加熱調理器のドア開閉に関するものである。
【背景技術】
【０００２】
従来のオーブンレンジ等の加熱調理器のドア６は、図１、図１２に示すような構造のものが知られている。すなわち加熱調理時に熱風やマイクロ波の漏れを防止するために、閉成時には加熱室２の開口部１００に密着した構造であり、調理中にドア６が加熱室２の開口部１００から離れることを防ぐドア開閉手段を備えている。
【０００３】
このドア開閉手段は、キャビネット１に固定された回転可能なローラ１３と、ドア６に開閉力を加えるバネ１４、バネ１４のバネ力をドアに伝達するアーム１１から構成されている。
【０００４】
アーム１１は一端をドア６に回転可能に固定され、もう一端はバネ１４に固定されており、その中間の端面にローラ１３が接触している。
【０００５】
ローラ１３にアーム１１が接触していることから、アーム１１はローラ１３に沿ってスムーズに前後方向に移動可能である。
【０００６】
また、アーム１１の一端を力点として加わるバネ力は、アーム１１とローラ１３の接触点を支点として、ドア６とアーム１１の固定点を作用点としてドア６に作用する。
【０００７】
よって、バネ１４の弾性力によってドア６閉方向に力を負荷することができる。
【０００８】
また、アーム１１の形状によってドア６開閉時にドア６に作用する力を制御することができる。
【０００９】
バネ１４を使用したこのドア６開閉手段では、一定角度までドア６を閉じることによって一定位置から完全閉成まではバネ１４の引張り力によって自動的にドア６が閉じられる。
【００１０】
また、ドア６閉成時は常にバネ力によりドア６は加熱室２開口部１００に押し付けられているので、使用中にドア６が開くことがなく安全に加熱調理器を使用することができる。
【００１１】
しかし、このような従来の構造ではドア６閉成過程において常にバネ力が作用するため、加熱室２の開口部１００を遮蔽する閉成直前のドア６閉成速度が大きく、ドア６が加熱室２の開口部１００に衝突することによってドア６閉成時に大きな衝撃音や振動が発生することがあった。そのため、その振動により加熱室２内に載置した調理容器から食品がこぼれたり、あるいは調理容器が倒れたりするなど、操作性が悪いという問題点を解消するため、ドア６閉成時の振動や衝撃音を低減するための方法が提案されている。
【００１２】
例えば、ダンパをドアのヒンジ部に取り付けることによってドア開閉においてドア速度を減衰させる構造で、ドア閉成時の衝突音を低減させている（例えば、特許文献１参照）。
【００１３】
また、ダンパから伸びる支持軸をドア開口部外面に突き出して設けた構造とし、ドア閉成過程と開成過程の両方において、開閉成速度が速い範囲においてドアに減衰力を発生させ、ドア開閉に伴う振動を低減し、使い勝手を向上させている（例えば、特許文献２参照）。
【００１４】
また、ドアが開口部に近づくとモータを使用したドア引き込み手段が作動を開始し、これによりドア閉成時の衝突音を低減するとともに操作にかかる力を小さくている（例えば、特許文献３参照）。
【００１５】
【特許文献１】特開２００２−２２８１６１
【特許文献２】特開２００２−３９５４１
【特許文献３】特開２００４−８５０２６
【発明の開示】
【発明が解決しようとする課題】
【００１６】
しかしながら、上記の従来技術において、前者のものはドア閉成時に加熱室開口部とドアが衝突することによって、衝撃音・振動などが発生し、使い勝手が良好でない。特にドア完全閉成直前でドア閉速度が大きいことにより、ドアと加熱室開口部の衝突で大きな衝撃音がするため、使用者が不快を感じ易い。
【００１７】
また、ドアと加熱室開口部の衝突による振動により、加熱室内の食品が皿からこぼれたり、加熱調理器自身が移動したりして使い勝手が悪いことがあった。
【００１８】
また、後者のドア閉成時の振動や衝撃音を低減する方法のうち特許文献１及び２のものはドア閉成に伴う衝撃音・振動などは低減できるが、ドア完全閉成時に無音になり、使用者はドアが完全に閉成した状態を確認し難く、そのため、ドアが閉まっているように見えても完全に閉まっていないのではないかと感じるので、使用者はドアを閉成する度にドアが閉まったことを確認するため、使い勝手が良くないという問題がある。
【００１９】
また、特許文献３のようにバネを使わずモーターを使用してドアを引き込む場合、ドア閉成に伴う衝突音は低減できるが、ドア開成する場合に勢い良くドアが開いて振動・衝突音を発生する。また、ドア閉成装置はモーターに通電している場合のみ働くため、停電時には使用できず、またドアを引き込むために電力を使用するため、加熱調理以外の部分でエネルギーを使うことになり、加熱調理器全体のエネルギー効率が良くないという問題がある。
【００２０】
本発明は、上記の課題のうち少なくとも１つを解決するためになされるものである。
【課題を解決するための手段】
【００２１】
本発明は上記の問題を解決するためになされたものであり、請求項１は少なくとも加熱室と、被加熱物の出し入れを行う該加熱室の開口部を遮蔽する開閉可能なドアと、該ドアの閉成状態を検知するドア閉成検知手段と、ドアの閉成状態を報知するドア閉成報知手段と、ドア閉成過程に該ドアの閉まり速度を遅くする減衰手段とを備え、該ドア閉成検知手段によるドア閉成の検知と略同じタイミングで該ドア閉成報知手段が作動するものである。
【００２２】
また、請求項２はドアが上下方向に回動することによって開閉することを特徴とするものである。
【００２３】
また、請求項３はドア閉成報知手段による報知がドア開閉に連動して発生する接触音であることを特徴とするものである。
【００２４】
また、請求項４はドア閉成報知手段による報知が音声出力手段による音声であることを特徴とするものである。
【００２５】
また、請求項５はドア閉成報知手段による報知が発光手段による光であることを特徴とするものである。
【発明の効果】
【００２６】
本発明の加熱調理器は、上記のように構成したことにより、請求項１ではドアが閉まったことを確実に使用者に伝えることができるので、ドア開閉時の操作性や使い勝手が向上し、使用者にとって安心して使える加熱調理器を提供することができる。
【００２７】
また、請求項２ではドアを上下に回動する開閉構造である加熱調理器において特に問題となるドア開閉の使い勝手を向上させることができる。
【００２８】
また、請求項３では従来の加熱調理器に比べて構造変更が少なく、低コストで更に使い勝手の良い加熱調理器を提供できる。
【００２９】
また、請求項４では容易な構造で使用者にドア閉成を報知することができ、使い勝手の良い加熱調理器を提供できる。
【００３０】
また、請求項５では音を発生させることなくドア閉成状態を確認したい使用者にとっても使い勝手の良い加熱調理器を提供できる。
【発明を実施するための最良の形態】
【００３１】
以下本発明の実施例を説明する。
【実施例１】
【００３２】
以下、本発明の一実施例である実施例１を図１〜図７を参照して説明する。図1は従来例及び本発明の実施例を示す加熱調理器の斜視図、図２は本発明の実施例を示す加熱調理器の側面図、図３（ａ）は同じくダンパ正面図、図３（ｂ）は同じくダンパ側面図、図４は同じく報知ユニットの詳細図、図５、図６、図７は同じく報知ユニットの一連の動作を説明する図である。
【００３３】
図において、１はキャビネット、２は加熱室で、キャビネット１内に設けられ被加熱物５を収納し調理するものである。４はテーブルで、加熱室２の底面に設置されていて、このテーブル４に被加熱物５を載置してマイクロ波加熱による加熱調理と、加熱室２の壁面に設けられたヒータ（図示せず）によるオーブン加熱による加熱調理ができるものであり、このような本実施例はターンテーブルレス式オーブンレンジと呼ばれるものである。
【００３４】
尚、本発明は被加熱物５が載置されたテーブル４が回転するターンテーブル式オーブンレンジやマイクロ波加熱のみができる単機能電子レンジ、あるいはヒータによる加熱のみを行う電気オーブンなどの加熱調理器にも同様に適用できるものであり、さらに、被加熱物５の出し入れをドア開閉手段によって行う構成であれば、電気式には限らず、ガス式など他の加熱調理器への適用も容易に可能である。
【００３５】
３は機械室で、加熱室２の下部に設けられおり、内部には被加熱物５を加熱するためのマイクロ波を導波管（図示せず）を介して加熱室２に照射するマグネトロン７、テーブル４の下方からマイクロ波を照射するアンテナ８、該アンテナ８を回転させるモーター９、該マグネトロン７に給電するインバータ基板（図示せず）、被加熱物５の加熱パターンを制御するマイコンが搭載された制御基板１０などが収納されており、機械室３から加熱室２内にマイクロ波エネルギーを照射することで被加熱物５を加熱調理する。
【００３６】
尚、本実施例の加熱調理器は加熱室２の下部に機械室３を設けた構造であるが、機械室３の場所は加熱室２の側方あるいは上方でもよい。
【００３７】
また、本実施例のようにテーブル４の下方から加熱室２にマイクロ波エネルギーを照射するのではなく、加熱室２の側方あるいは上方、または複数箇所から照射させる構成でもよい。
【００３８】
１００は開口部で、加熱室２に被加熱物５を出し入れするためのものであり、本体正面に備えられている。
【００３９】
６はドアで、該開口部１００を遮蔽することができるものであり、ドア６の内部には金属導体のドア枠（図示せず）が収納されており、このドア枠は櫛歯形状の金属導体をコの字形状に曲げた構造で、内部に空間を持つチョーク構造になっており、調理中にドア６を閉めることでドア枠と加熱室２の前面部が密着し、外部にマイクロ波が漏洩するのを防止している。
【００４０】
６１はドア６に設けられた観察窓で、加熱調理器の外部から加熱室２内を観察するためのものであり、観察窓６１は外側と加熱室２側の２枚のガラスでドア枠に設けたパンチングメタルを挟んだ構成であり、可視光を透過するがマイクロ波は透過しない性質を持っており、外部から内部の様子が見えると共に外部にマイクロ波が漏洩するのを防止している。
【００４１】
１１はアーム、１２はローラ支持具、１３はローラで、ドア６は加熱室２の側方に設けたこれらのドア開閉手段のアーム１１とローラ支持具１２で支えられることによりドア６の開閉を滑らかに行うことができる。
【００４２】
本実施例の加熱調理器のドア６閉成時におけるドア開閉手段の構造を図２に示す。
【００４３】
ドア６はアーム１１とローラ支持具１２で支持されており、ドア６とローラ支持具１２の接触点であるドア回転中心１２ａを中心にして加熱室２の開口面に対して上下方向に回動する縦開き構造となっている。
【００４４】
尚、本実施例のドア６は上下方向に回動する縦開き構造であるが、左右方向に回動する横開き構造の加熱調理器にも適用できることは言うまでもない。
【００４５】
アーム１１はアームドア支持点１１ａにおいてドア６を回動支持している。
【００４６】
また、アーム１１の下面はローラ支持具１２に回転可能に取り付けられたローラ１３に接触しており、アーム１１がローラ１３に沿って前後に摺動することにより、スムーズにドア６を開閉することができる。
【００４７】
さらに、アーム１１の後端とローラ支持具１２の間にはバネ１４が取り付けられており、ドア６の閉時にはバネ１４の引張り力によってアーム１１を後方に引っ張っており、ドア６を加熱室２の開口部１００に押し付けている。
【００４８】
よって、例えば調理中に振動などで簡単に開かないようにドア６は開口部１００に押し付けられて固定される。
【００４９】
２１は減衰手段であるダンパであり、本実施例ではアーム１１に接触するように設置されている。
【００５０】
ここで、ダンパ２１構造の一例を図３に示す。
【００５１】
ダンパ２１は、ケース２１ａとディスク２１ｂの間にグリス２１ｃを封入したオイルダンパであり、ディスク２１ｂを固定してケース２１ａを回転させると、間に封入したグリス２１ｃの粘性力によって回転エネルギーを吸収する構造である。
【００５２】
また、一方向にのみ減衰力が働くようなラチェット構造としているため、ドア６閉成過程においてはドア６の閉速度を遅くし、ドア６の開成過程においてはドア６に全く作用しない構造である。
【００５３】
したがって、ドア６の閉速度を低減することで、従来の加熱調理器においてドア閉成時に生じていた衝撃音・振動などの問題を低減することができるとともに、ドア開成時の作動力には影響を及ぼさないので、使用者の使い勝手を向上できる。
【００５４】
尚、ダンパ２１はグリスによる粘性ダンパに限らず、摩擦によるフリクションダンパ、空気圧を利用したエアダンパや油圧を利用したダンパ、スポンジやゴム、バネ等いろんな減衰手段を利用しても良い。
【００５５】
ただし、ダンパ２１をドア開閉手段に備えた構造ではドア６の閉速度を遅くしてドア６閉成時の衝撃音を低減するため、ドア６閉成時の開閉音が減少あるいは無音状態になり、使用者のドア６閉成状態の確認が困難になる。
【００５６】
また、ダンパ２１の減衰手段を持つ加熱調理器はダンパ２１を有しない従来の加熱調理器に比べてドア６が閉まる速度が遅いことから、従来の加熱調理器よりもドア６の閉まった感触が得られにくく、使用者が完全な閉成状態を把握しにくいため使い勝手が良くないという問題があった。
【００５７】
そこで、本発明の第一実施例では、ドア開閉手段に連結して設けられたドア６の閉成状態を検知するドア閉成検知手段２３と、ドア６の閉成状態を使用者に知らせるドア閉成報知手段２４を兼ねた報知ユニット２２を備えている。
【００５８】
尚、本実施例の報知ユニット２２のようにドア閉成検知手段２３とドア閉成報知手段２４は一体構造で兼ねることもできるが、もちろんドア閉成報知手段２４とドア閉成検知手段２３を別々に備えた構成でも良い。
【００５９】
また、報知ユニット２２は、本実施例のようにドア開閉手段に連結して設ければ、加熱調理器の内部に容易に搭載できるため、使用者から見た加熱調理器の外観は従来の加熱調理器と同様にすることができる。
【００６０】
図４に本実施例の報知ユニット２２の詳細を示す。
【００６１】
報知ユニット２２は上下移動可能なバー３３とケース３４に一端を固定された板バネ３１、板バネ３１に固定されている接触部材３２ａ、ケース３４に固定された接触部材３２ｂによって構成されている。
【００６２】
ドア６が閉成方向に回動すると、アーム１１に固定されているピン１１ｂによりバー３３に上向きの力を与えて板バネ３１を押し曲げ、ピン１１がバー３３を通過することにより板バネ３１の力が解除されることで板バネ３１に固定された接触部材３２ａとケース３４に固定された接触部材３２ｂが衝突して音を発生し、使用者にドア６の閉成を報知する。
【００６３】
ここで、報知ユニット２２における作用の一連の流れを図５〜図７に示す。
【００６４】
まず、図５はドア６が開いている状態であり、報知ユニット２２においては、ピン１１ｂはバー３３から離れており、板バネ３１は力を蓄えていない。
【００６５】
次に、図６に示すドア６閉成途中の状態では、ドア６閉成に伴うアーム１１の後方移動に伴って、アーム１１に固定されているピン１１ｂも後方に移動しバー３３に接触し、ピン１１ｂが後方に移動しながらバー３３を上方に移動させ、板バネ３１を押し上げる。
【００６６】
板バネ３１はバー３３からの力を受けて変形し、板バネ３１にバネ力が蓄えられる。
【００６７】
さらに、ドア６閉成が進むと、図７に示すように、完全にドア６が閉成した瞬間、ピン１１ｂはバー３３から離れ、それに伴い板バネ３１の力が解除され、板バネ３１は自身に蓄えられていたバネ力によって勢い良く元の位置に戻り、接触部材３２ａと３２ｂが衝突することによって、衝突音が発生する。
【００６８】
以上のような動作の流れで本加熱調理器はドア６閉成と同時に報知音を発生し、使用者はドア６の完全閉成を確認することができるので、ドア６開閉時の操作性や使い勝手が向上し、使用者にとって安心して使える。また、ドア６を上下に回動する開閉構造である加熱調理器において特に問題となるドア６開閉の使い勝手を向上させることができる。
【００６９】
尚、本実施例において、接触部材３２ａと３２ｂの材質は問わないが、例えば両者が金属であれば高音の音色を、樹脂などであれば低音の音色となり、ドア６閉成時の音色は容易に調整可能である。
【００７０】
また、本実施例は板バネ３１に力を蓄える構造であるが、力を蓄える手段はバネ・ゴム・金属弾性などどのような構造でも構わない。
【００７１】
また、本実施例においては接触部材３２ａ、３２ｂの衝突により報知音を発生させるため、余計な配線や電力を必要としないため低コストで省エネルギーな構成とすることができる。
【実施例２】
【００７２】
図８に本発明の第二実施例の加熱調理器の側面図を示す。
【００７３】
本加熱調理器は第一実施例に示した加熱調理器とほぼ同じ構造のターンテーブルレス式オーブンレンジであり、報知ユニット２２ｂをドア６の内部に備えた構成である。
【００７４】
報知ユニット２２ｂは金属製の開口部１００に対して引力を発生させる磁石で構成してあり、ドア閉成検知手段２３とドア閉成報知手段２４を兼用している。
【００７５】
ここで、ドア６閉成過程における報知ユニット２２ｂの作用を説明する。
【００７６】
ドア６閉成時には、使用者がドア６の取っ手を持ってドア回転中心１２ａを中心としてドア６を回動させると、アーム１１がローラ１３に沿って前後に移動し、ドア６はスムーズに動き出す。
【００７７】
ドア６の開き角度がある一定角度から小さくなると、バネ１４の引張り力がアーム１１に作用し、バネ１４の引張り力のみでアーム１１が移動し、ドア６は閉まる方向に加速して回動する。
【００７８】
その後、ダンパ２１が作用することによってドア６の閉まり速度は徐々に遅くなる。
【００７９】
ドア６の角度が十分小さくなり、ドア６閉成の直前になると、ドア６内部の報知ユニット２２ｂと開口部１００の間に磁性力が働き、ドア６を開口部１００に引き付けることによって、ドア６と開口部１００が接触し、この時の接触音による報知音を発生させる。
【００８０】
そして、報知ユニット２２ｂの磁性強度を調整することによって報知音の大きさや音色を調整することができる。
【００８１】
また、開口部１００に突起などを設けることなく報知ユニット２２ｂを設けることができるので、外観を損なわないまま操作性を向上することができる。
【００８２】
このように、従来の加熱調理器に比べて構造変更が少なく、低コストで更に使い勝手の良い加熱調理器を提供できる。
【００８３】
尚、本実施例では報知ユニット２２ｂをドア６の内部に設けた構造としたが、ドア６表面に磁石の引力が働くような材質を用いれば、報知ユニット２２ｂをは開口部１００側に配置し、ドア６を磁力で引き付ける構成にしても良い。
【００８４】
また、第一実施例のように報知ユニット２２ｂをキャビネット１内部に組み込む構造でも良い。
【００８５】
また、第一実施例における板バネ３１によるバネ力の代わりに磁性力を用いても良い。
【実施例３】
【００８６】
図９に本発明の第三実施例の加熱調理器を示す。
【００８７】
本加熱調理器は第一実施例、第二実施例に示した加熱調理器と同じ構造のターンテーブルレスオーブンレンジであり、加熱室２の上方ドア６側にドア閉成検知手段２３を、制御基板１０上にドア閉成報知手段２４を、それぞれ別々に備えている構造である。
【００８８】
ドア閉成検知手段２３とドア閉成報知手段２４はそれぞれ制御基板１０に接続されており、ドア閉成検知手段２３からの信号を受けて略同じタイミングでドア閉成報知手段２４が作動する構成となっている。
【００８９】
図１０に本実施例の加熱調理器の制御方法を示したフローチャートを示す。
【００９０】
まず、ドア６が閉成すると閉成の瞬間にドア閉成検知手段２３からドア６閉成を検知する信号が発生される。
【００９１】
その信号を受けて制御基板１０に設けたマイコンにより、ドア閉成報知手段２４を作動させブザー音を発生させる。
【００９２】
ドア閉成検知手段２３による検知と略同じタイミングでドア閉成報知手段２４を作動させることによって、ドア６閉成の瞬間に使用者にドア６閉成をブザー音で報知することができる。
【００９３】
本実施例においてドア閉成検知手段２３は、内部にスイッチ（図示せず）を有し、ドア６側に設けた突起をドア６が押してドア閉成検知手段２３内部のスイッチを押下することによってドア６閉成を検知する構成である。
【００９４】
このように、容易な構造で使用者にドア６の閉成を報知することができ、使い勝手の良い加熱調理器を提供できる。
【００９５】
尚、ドア６側にドア閉成検知手段２３を設ける構成でもかまわない。
【００９６】
本実施例ではドア閉成報知手段２４の発生する音はブザー音としたが、ブザー音は使用者にドア６閉成を報知できればどのような音でも良く、使用者の好むメロディなどを選べるようにしても良いし、さらに、制御基板１０に音声出力手段を設け音声により報知するようにしても良い。
【００９７】
また、既にドアスイッチとブザーを備えた加熱調理器においては、ブザーをドア閉成報知手段２４として使用し、図１０のフローチャートに従った制御手段を設けることによって、新たな部品の追加なしで使用者の使い勝手を向上することができる。
【実施例４】
【００９８】
図１１に本発明の第四実施例の加熱調理器の側面図を示す。
【００９９】
第一〜第三実施例に示した加熱調理器と同じターンテーブルレスオーブンレンジであり、調理中に加熱室２内に光を照射する発光手段である庫内灯２４を側面に備えている。
【０１００】
本実施例では、ドア報知手段２４としてこの庫内灯２４を用いる構成である。すなわち、ドア閉成検知手段２３とドア閉成報知手段２４はそれぞれ制御基板１０に接続されており、ドア閉成検知手段２３からの信号を受けて略同じタイミングでドア閉成報知手段２４である庫内灯２４が点灯、消灯または点滅することによって、ドア６閉成を使用者に報知する。
【０１０１】
本実施例の制御方法は第三実施例と同様に図１０のフローチャートに示す通りである。
【０１０２】
このように、音を発生させることなくドア６閉成状態を確認したい使用者にとっても使い勝手の良い加熱調理器を提供できる。
【０１０３】
尚、ドア閉成報知手段２４は庫内灯２４ではなくＬＥＤ等の報知ランプ、警告ランプなどその他光を発光する発光手段であればどんなものでも良い。
【０１０４】
また、設置場所も加熱室２の内部ではなく操作パネル、ドア６上など、使用者から見える位置であれば良い。
【図面の簡単な説明】
【０１０５】
【図１】従来例及び本発明の実施例を示す加熱調理器の斜視図である。
【図２】本発明の実施例を示す加熱調理器の側面図である。
【図３】（ａ）同じくダンパ正面図である。（ｂ）同じくダンパ側面図である。
【図４】同じく報知ユニットの詳細図である。
【図５】同じく報知ユニットの一連の動作を説明する図である。
【図６】同じく報知ユニットの一連の動作を説明する図である。
【図７】同じく報知ユニットの一連の動作を説明する図である。
【図８】本発明の実施例２を示す加熱調理器の側面図である。
【図９】本発明の実施例３を示す加熱調理器の側面図である。
【図１０】同じく制御方法を示したフローチャートである。
【図１１】本発明の実施例４を示す加熱調理器の側面図である。
【図１２】従来の加熱調理器の側面図である。
【符号の説明】
【０１０６】
２  加熱室
６  ドア
２３  ドア閉成検知手段
２４  ドア閉成報知手段
１００  開口部
【図１】
2006226617.tif 000003
【図２】
2006226617.tif 000004
【図３】
2006226617.tif 000005
【図４】
2006226617.tif 000006
【図５】
2006226617.tif 000007
【図６】
2006226617.tif 000008
【図７】
2006226617.tif 000009
【図８】
2006226617.tif 000010
【図９】
2006226617.tif 000011
【図１０】
2006226617.tif 000012
【図１１】
2006226617.tif 000013
【図１２】
2006226617.tif 000014